(57)【特許請求の範囲】
【請求項１】
映像信号の送出とデータ信号の受信を行うケーブル接続コネクタと、テストパターンを発生させる標準パターン発振器と、ＩＤ信号を記憶するＩＤメモリと、前記映像信号とデータ信号とを分離するデータ分離器と、前記分離されたデータ信号を、前記ＩＤメモリからＩＤ信号を読み出すＩＤ制御信号に分離する信号分離器と、前記テストパターンと前記ＩＤ信号とをミキシングし、ミキシングした信号の出力を調整する増幅器とを備え、前記増幅器からの信号をセンター装置へ出力することを特徴とする結線確認用ダミーカメラ。
【請求項２】
前記センター装置からのケーブルにて供給される電源で動作することを特徴とする請求項１記載の結線確認用ダミーカメラ。
【請求項３】
内部に設置された電源で動作することを特徴とする請求項１記載の結線確認用ダミーカメラ。
【請求項４】
カメラを接続するカメラ入力コネクタを有し、前記カメラの映像信号を前記センター装置へ出力することを特徴とする請求項１ないし３の何れかに記載の結線確認用ダミーカメラ。
【請求項５】
前記カメラ入力コネクタに前記カメラが接続されたかを検出するカメラ接続検知器と、前記カメラが接続されたときは、前記増幅器からの出力を前記カメラからの出力に切り換える切換器とを備えたことを特徴とする請求項４に記載の結線確認用ダミーカメラ。
【請求項６】
前記ＩＤ信号はカメラを特定するＩＤ番号を備えたことを特徴とする請求項１ないし５の何れかに記載の結線確認用ダミーカメラ。
【請求項７】
前記ＩＤ信号を表示するＩＤ表示器を備えたことを特徴とする請求項１ないし６の何れかに記載の結線確認用ダミーカメラ。
【請求項８】
前記ＩＤ表示器にＩＤ信号を表示させるＩＤ確認ボタンを備えたことを特徴とする請求項１ないし７の何れかに記載の結線確認用ダミーカメラ。
【請求項９】
映像信号の送出とデータ信号の受信を行い、前記映像信号と前記データ信号を分離し、前記分離されたデータ信号を、ＩＤメモリからＩＤ信号を読み出すＩＤ制御信号に分離し、前記ＩＤメモリから前記ＩＤ信号を読み出し、テストパターンを発生し、前記テストパターンと前記ＩＤ信号とをミキシングし、ミキシングした信号の出力を調整し、ケーブルを介してセンター装置へ出力し、ミキシングされた信号に基づき前記ケーブルの検査を行うことを特徴とするカメラ結線確認方法。
【請求項１０】
前記ケーブルの検査は、ミキシングされた信号のレベル測定により行うことを特徴とする請求項９に記載のカメラ結線確認方法。
【請求項１１】
前記テストパターンは、映像テスト用のバー信号であることを特徴とする請求項９または１０に記載のカメラ結線確認方法。
【発明の詳細な説明】
【０００１】
【発明の属する技術分野】
本発明は、ＣＣＴＶによる監視システムを構成する結線確認用のダミーカメラおよびカメラ結線確認方法に関する。
【０００２】
【従来の技術】
従来、大型ビルディング等に大規模なＣＣＴＶによる監視システムを設置するときは、一般的に個々のビルディングの建設状態に合わせた設置方法が採られる。例えば先ず、ビルディング建築と並行して同軸ケーブル等の回線を設置し、ビルディングが完成した後に回線にカメラを設置し、システム全体のテストを実施する。
【０００３】
ＣＣＴＶ装置の構成は、１台のカメラをモニターで監視する１対の簡易型監視カメラシステムから、１０００台以上のカメラを切り替えて監視する大規模システムまである。よって、特に数十台以上の大規模システムでは、工事の段階で同軸ケーブルが施設され、工事が完了した後にカメラが設置され、システム動作を調整する工事も多くある。
【０００４】
図５は、ＣＣＴＶの設置形態の概念図であり、ＣＣＴＶ装置を設置する建造物におけるカメラ用同軸ケーブルの設置状況を概念的に示している。この図５のＣＣＴＶの設置形態の概念図において、ＣＣＴＶ装置を設置する構造物１の概要と、この構造物１に設置するカメラ用回線を各所に設置するカメラ用同軸ケーブル２の設置イメージと、カメラ用同軸ケーブル２にセンター装置３が接続されている状態を示している。
【０００５】
上記の従来のＣＣＴＶの設置形態に依ると、最大１０００台以上のカメラが取り付けられるカメラ用同軸ケーブル２等の回線ケーブルが敷設される場合もある。このような場合、回線ケーブルが工事によって損傷を受けていたり、各カメラにセンター装置から制御あるいは場所を特定するためのＩＤ番号等を付与するための作業を、ビルディングの完成後に行うことは、困難な場合がある。それはＣＣＴＶ監視カメラは、天井・ビルの空間に釣り下げたり、他のオブジェクトに目立たないように設置する必要があるからである。
【０００６】
工事が完了した後にカメラが設置される工事では、工事が完了してからカメラを接続しても、画像が出ない、位置が解らない、性能が悪い、カメラＩＤが解らない、等のトラブルが発生し易い。それは、上述のように、センター装置３に接続した同軸ケーブル２は、何れの後に配置されているか解らないことが多く、また、工事中に同軸ケーブル２が切断されていたり、強い圧力でつぶされていたり、品質の悪いケーブルが施設されている等が往々にして発生するからである。これらの発生を検知した時はすでに手遅れであり、システムを改善するために多くの費用と時間を費やすことが多い。
【０００７】
施工が進んだ段階では、センター装置３となるマトリックススイッチ等に接続することが出来る。しかし回線の先端にカメラが接続されていないため、またカメラを特定して切り替えるためのＩＤがないため、回線の確認も出来ず、勿論システムの確認もできない。
【０００８】
建造物が完成した後では、数十台から１０００台以上にもなるＣＣＴＶカメラを設置し回線に接続する。このような状態において、センター装置３へ回線が、どの同軸ケーブルなのか特定することが難しく、またカメラに特定したＩＤが特定の場所と回線に接続されているかの確認も困難である。このため、ＣＣＴＶ設置工事が大幅に遅れることになる。
【０００９】
【発明が解決しようとする課題】
しかしながら、上記の従来技術においては、上述のように、早期に設置した回線に工事中に切断や圧力がかかって、ケーブルが正常で無い場合も発生するが、それらの不具合の有無は、実際にカメラを接続しなければ最終的に確認が採れない問題を伴う。
【００１０】
本発明は、上記課題に鑑みてなされたものであり、大規模ＣＣＴＶ装置のカメラ設置以前に回線の確認とＩＤのインストールが出来る、結線確認用ダミーカメラおよびカメラ結線確認方法を提供することを目的とする。
【００１１】
【課題を解決するための手段】
本発明に係る結線確認用ダミーカメラは、上記問題点を解決するため、映像信号の送出とデータ信号の受信を行うケーブル接続コネクタと、テストパターンを発生させる標準パターン発振器と、ＩＤ信号を記憶するＩＤメモリと、前記映像信号とデータ信号とを分離するデータ分離器と、前記分離されたデータ信号を、前記ＩＤメモリからＩＤ信号を読み出すＩＤ制御信号に分離する信号分離器と、前記テストパターンと前記ＩＤ信号とをミキシングし、ミキシングした信号の出力を調整する増幅器とを備え、前記増幅器からの信号をセンター装置へ出力することを特徴とする。この構成により、回線の機能チェックを容易化することができる。
【００１２】
また、本発明に係るカメラ結線確認方法は、上記問題点を解決するため、映像信号の送出とデータ信号の受信を行い、前記映像信号と前記データ信号を分離し、前記分離されたデータ信号を、ＩＤメモリからＩＤ信号を読み出すＩＤ制御信号に分離し、前記ＩＤメモリから前記ＩＤ信号を読み出し、テストパターンを発生し、前記テストパターンと前記ＩＤ信号とをミキシングし、ミキシングした信号の出力を調整し、ケーブルを介してセンター装置へ出力し、ミキシングされた信号に基づき前記ケーブルの検査を行うことを特徴とする。この構成により、回線の機能チェックを容易化することができる。
【００１３】
【発明の実施の形態】
請求項１記載の結線確認用ダミーカメラに関する発明は、映像信号の送出とデータ信号の受信を行うケーブル接続コネクタと、テストパターンを発生させる標準パターン発振器と、ＩＤ信号を記憶するＩＤメモリと、前記映像信号とデータ信号とを分離するデータ分離器と、前記分離されたデータ信号を、前記ＩＤメモリからＩＤ信号を読み出すＩＤ制御信号に分離する信号分離器と、前記テストパターンと前記ＩＤ信号とをミキシングし、ミキシングした信号の出力を調整する増幅器とを備え、前記増幅器からの信号をセンター装置へ出力する構成を採る。
【００１４】
この構成により、回線の機能チェックを容易に行うことができる。
【００１５】
請求項２記載の発明では、請求項１記載の結線確認用ダミーカメラにおいて、センター装置からのケーブルにて供給される電源で動作可能とする構成とする。この構成により、結線確認用ダミーカメラの構成が簡素化されると共に、カメラ用電源の確認を行うことが可能となる。
【００１６】
請求項３記載の発明では、請求項１記載の結線確認用ダミーカメラの内部に設置された電池等の電源で動作可能とした構成とする。この構成により、信号用の回線と電源用の回線とを、それぞれ独立して機能確認を行うことができる。
【００１７】
請求項４記載の発明では、請求項１ないし３の何れかに記載の結線確認用ダミーカメラにおいて、カメラを接続するカメラ入力コネクタを有し、前記カメラの映像信号を前記センター装置へ出力する構成とする。
【００１８】
請求項５記載の発明では、請求項４に記載のカメラ入力コネクタに前記カメラが接続されたかを検出するカメラ接続検知器と、前記カメラが接続されたときは、前記増幅器からの出力を前記カメラからの出力に切り換える切換器とを備えた構成とする。
【００１９】
請求項６記載の発明では、請求項１ないし５の何れかに記載のＩＤ信号がカメラを特定するＩＤ番号を備えた構成とする。
【００２０】
請求項７記載の発明では、請求項１ないし６の何れかに記載のＩＤ信号を表示するＩＤ表示器を備えた構成とする。この構成により、ＩＤ信号を目視にて確認することができる。
【００２１】
請求項８記載の発明では、請求項１ないし７の何れかに記載のＩＤ表示器にＩＤ信号を表示させるＩＤ確認ボタンを備えた構成とする。
【００３４】
請求項９記載のカメラ結線確認方法に関する発明は、映像信号の送出とデータ信号の受信を行い、前記映像信号と前記データ信号を分離し、前記分離されたデータ信号を、ＩＤメモリからＩＤ信号を読み出すＩＤ制御信号に分離し、前記ＩＤメモリから前記ＩＤ信号を読み出し、テストパターンを発生し、前記テストパターンと前記ＩＤ信号とをミキシングし、ミキシングした信号の出力を調整し、ケーブルを介してセンター装置へ出力し、ミキシングされた信号に基づき前記ケーブルの検査を行う構成を採る。
【００３７】
請求項１０記載の発明では、請求項９に記載のカメラ結線確認方法のケーブルの検査は、ミキシングされた信号のレベル測定により行う構成とする。
【００３８】
請求項１１記載の発明では、請求項９または１０に記載のカメラ結線確認方法のテストパターンは、映像テスト用のバー信号である構成とする。
【００４１】
次に図面を参照して、本発明の一実施の形態に係る結線確認用ダミーカメラおよびカメラ結線確認方法を詳細に説明する。図１から図４は、本発明の一実施形態に係る結線確認用ダミーカメラおよびカメラ結線確認方法の構成を説明するための図である。
【００４２】
これらの図において、図１は、上記［従来の技術］の欄で示した図５の、ＣＣＴＶ装置を設置する建造物におけるカメラ用同軸ケーブルの各先端部へ取り付け可能とされた、ダミーカメラの構成例を示す外観斜視図である。図２はダミーカメラの同軸ケーブルとの接続例を示し、図３はダミーカメラへの実際のカメラの接続例を示している。また図４は、ダミーカメラの内部の構成例を示すブロック図である。
【００４３】
図１のダミーカメラの外観構成例において、ダミーカメラ５には、センター装置３に信号伝送するためのケーブル接続コネクタ２０に、同軸ケーブル２を接続する。また、本装置には、本装置が記憶しているＩＤを表示するためＩＤ表示器３６を具備している。また、工事の誤りを発生しないようにシステム化されており、ケーブル接続コネクタ２０に同軸ケーブル２が接続されていなくてもＩＤ番号を確認可能とするための、ＩＤ確認ボタン５０を用意している。また、本装置にはカメラ入力用のカメラ入力コネクタ４０を用意し、実際のカメラが接続できるようにしている。なお、本実施例では、カメラの入力が１入力から複数入力まで可能であるが、図１では１入力のカメラ入力コネクタ４０の構成例を示している。
【００４４】
上記の構成に成るダミーカメラ５は、図２または図３のケーブルとの接続形態とされ、回線の機能チェックが行われる。一般的には、先ず、図２の接続形態で、回線の基本性能がチェックされ、その後、図３の接続形態で詳細な性能チェックが実行される。
【００４５】
図４は、ダミーカメラの構成例を示すブロック図である。本図４において、本実施形態のダミーカメラ５は、電源分離／制御部２２、データ分離器２３、ＭＩＸ／ＳＷ２４、信号分離器２６、電源制御部２９、カメラ接続検知器３３、標準パターン発振器３４、ＩＤメモリ３５、ＩＤ表示器３６、増幅器３８、電池３９、カメラ切替器４８、を有している。さらに、カメラを接続するコネクタとして、カメラ入力コネクタ４０、４２、４４、４６、およびケーブル接続コネクタ２０、を有して構成される。
【００４６】
ダミーカメラ５に用意されたケーブル接続コネクタ２０は、センター装置３への画像の送出とデータの受信を行うためのインターフェース用のコネクタである。このケーブル接続コネクタ２０は、電池３９が確保された電源分離／制御部２２と接続され、電池動作か否かが判別される。
【００４７】
このブロックを通過した信号は、データ分離器２３にて、映像信号とデータとに分離される。分離されたデータは、ＩＤ信号／カメラ制御信号を分離する信号分離器２６にてカメラ制御信号がさらに分離される。
【００４８】
分離された一方の信号は、ＭＩＸ／ＳＷ２４に入力され、各種機能の切替を行うことにより各種機能を制御する。また、分離された他方の信号は、ＩＤメモリ３５へ入力され、ＩＤメモリ３５からＩＤ信号の読み出しがされる。
【００４９】
読み出されたＩＤ信号は、標準パターン発振器３４において発生させたカメラテストパターンと、増幅器３８にてミキシングされる。このミキシング信号により、同軸ケーブル２で構成される回線のレベル測定ができるように規定出力となる調整機能を持たせる。また、ＩＤメモリ３５の信号をＩＤ表示器３６にて表示し、工事における作業性の向上に役立てる。
【００５０】
カメラ入力コネクタ４０、４２、４４、４６は、カメラ接続用のコネクタとして用意される。４チャンネルの入力信号は、カメラ切替器４８にて何れかのカメラに切り替えられ選択される。ここで選択された入力信号は、カメラ接続検知器３３にて、何れのチャンネルのカメラが接続されたかが自動的に検知される。なお、入力信号は、ＭＩＸ／ＳＷ２４に入力され、選択されてセンター装置３へ送出される。
【００５１】
大規模ＣＣＴＶシステムの設置は、図５の従来のＣＣＴＶ装置を設置する建造物におけるカメラ用同軸ケーブルの敷設状況を概念的に示したように、ＣＣＴＶ装置を設置する建築物１の工事行程で、ＣＣＴＶカメラを設置する予定箇所に同軸ケーブル等のケーブル類を設置することによる。
【００５２】
施工が進み、ケーブルが敷設されればセンター装置３となるマトリックススイッチ等に接続することが出来る。しかし、回線の先端にカメラが接続されていないため、またカメラを特定して切り替えるためのＩＤがないため、回線の確認も出来ず、勿論システムの確認もできない。このような状況において、本実施形態の結線確認用ダミーカメラおよびカメラ結線確認方法の活用がされる。
【００５３】
工事が完了した後にカメラが設置される工事では、既述のように、工事が完了してからカメラを接続しても、画像が出ない、位置が解らない、性能が悪い、カメラＩＤが解らない、等のトラブルが発生し易い。しかし、本実施形態の結線確認用ダミーカメラおよびカメラ結線確認方法を用いれば、大規模システムの同軸ケーブル等の回線が施設できた段階で、回線の確認と、ケーブル位置から実カメラに対応したＩＤ番号またはＩＤ符号をダミーカメラに定め、このダミーカメラを用いてシステム確認が終了した後に実際のカメラを設置していく。この手順に基づきシステムを完成させることにより、システムの品質と性能を最高の状態で完成させることができる。
【００５４】
ダミーカメラ５は、ＣＣＴＶカメラがセンター装置からの同軸ケーブルにて供給される電源にて動作されるようにし、その中に各種機能を保有している。
【００５５】
ダミーカメラ５は、同軸ケーブル２を建築物に装置するとき同時に設置できるように小型で軽量に設計され、同軸ケーブルに備えたカメラ接続コネクタと同じケーブル接続コネクタ２０にて接続でき、内部にはテレビ用のバー信号等のテスト信号発生装置から信号を送りセンター装置にて該信号を受信し、同軸ケーブルの確認ができる。あるいは、事前にダミーカメラ５にインストールしたＩＤ番号をテスト信号と同時に伝送し、センター装置にてＩＤを基にシステムのシュミレーションをし、システムの動作設置を事前に設置できる。
【００５６】
さらに、ダミーカメラ５には、カメラ入力コネクタ４０を用意しダミーにカメラを接続しても動作できるようにする。
【００５７】
ダミーカメラ５の使用例を図２のダミーカメラ接続例のように構造物工事時に設置する同軸ケーブルに接続して、回線が設置されれば何時でもセンター装置にて回線接続ができるように構成し、カメラを設置するときは取り外す構成とする。該ダミーカメラは、次回の工事にも使用できる。
【００５８】
ダミーカメラ接続例に示したように、ダミーカメラ５は同軸ケーブル設置時に接続し、先に挙げた例のように使用する。さらに、カメラ設置時には、ダミーカメラ５に設けたカメラ入力コネクタに接続して使用でき、カメラを接続すると自動的にダミーカメラ機能はカメラ信号へ切り替えられる。しかし、ダミーカメラ５のテレビ標準信号が必要な時には、センター装置から切り替えられるようにし、この切り替えられた状態においても回線の確認すなわち回線品質やロスを測定することができるように構成されている。
【００５９】
上記の実施形態によれば、大型のＣＣＴＶシステムの新築建築物への設置時、回線のみが設置された状態にても回線の確認とＩＤによるシステムの動作モードの設定ができることが、本発明の大きな効果である。また、本実施形態のダミーカメラは、使い捨て、あるいは取り外した後に次の工事に使用できる。あるいは、将来のメンテナンスを考慮して、ダミーカメラにカメラを接続して使用できる等の多くの機能を持っている。
【００６０】
実際のシステムにおいて、複数チャンネルのカメラ入力コネクタ４０、４２、４４、４６は必要に応じて用いられ、中央制御となるセンター装置３において切り替えを制御する。複数台のカメラを切り替えて選択的に接続可能とすることにより、回線とカメラとの干渉等、微妙な障害の原因箇所の特定において、特に活用される。また、切り替え装置の増設の為の調整を兼ねることができる。複数チャンネルの増設は、単純に切り替え用カメラの増設の他、例えば、隣接箇所または同一フロアへの分散配置用、特性の異なるカメラ用とし、選択的に用いることも可能となる。
【００６１】
尚、上記の実施形態は本発明の好適な一例である。但し、これに限定されるものではなく、本発明の要旨を逸脱しない範囲内において種々変形実施が可能である。
【００６２】
【発明の効果】
以上の説明より明かなように、請求項１記載の発明の結線確認用ダミーカメラによれば、カメラを接続しない状態で代用のダミーカメラを用いて、回線確認およびカメラＩＤの決定を行う。この構成により、回線の機能チェックとＩＤ設定を容易化することができる。
【図面の簡単な説明】
【図１】本発明の一実施形態である結線確認用ダミーカメラの構成例を示す外観斜視図
【図２】ダミーカメラの同軸ケーブルへの接続例を示す図
【図３】図２のダミーカメラにさらにカメラ装置を接続した例を示す図
【図４】ダミーカメラの構成例を示す回路構成ブロック図
【図５】従来のＣＣＴＶ装置を設置する建造物におけるカメラ用同軸ケーブルの敷設状況を概念的に示した図
【符号の説明】
１  構造物
２  カメラ用同軸ケーブル
３  センター装置
５  ダミーカメラ
２０  ケーブル接続コネクタ
２２  電源分離／制御部
２３  データ分離器
２４  ＭＩＸ／ＳＷ
２６  信号分離器
２９  電源制御部
３３  カメラ接続検知器
３４  標準パターン発振器
３５  ＩＤメモリ
３６  ＩＤ表示器
３８  増幅器
３９  電池
４０、４２、４４、４６  カメラ入力コネクタ
４８  カメラ切替器
５０  ＩＤ確認ボタン
【図１】
0004065067.tif 000002
【図２】
0004065067.tif 000003
【図３】
0004065067.tif 000004
【図４】
0004065067.tif 000005
【図５】
0004065067.tif 000006